(57)【特許請求の範囲】
【請求項１】
湖沼の底部から、水より比重の大きな小塊材を充填した籠状の単位骨格部材を縦横及び高さ方向に結合して構成した骨格構造を立ち上げ、かつ該湖沼の水面から露出する該骨格構造の上部に地上設備を配した湖沼に於ける離岸築造物の構造。
【請求項２】
前記地上設備として植物を配した緑化部を構成した請求項１の湖沼に於ける離岸築造物の構造。
【請求項３】
前記籠状の単位骨格部材中に前記小塊材に加えて麦飯石を充填した請求項２の湖沼に於ける離岸築造物の構造。
【請求項４】
前記地上設備として遊歩道を構成した請求項１の湖沼に於ける離岸築造物の構造。
【発明の詳細な説明】
【０００１】
【発明の属する技術分野】
本発明は、湖沼中に構成する消波用堤又は離れ島等の種々の離岸築造物を構成する構造、即ち、湖沼に於ける離岸築造物の構造に関するものである。
【０００２】
【従来の技術】
従来、例えば、離岸堤等の消波用堤等の場合には、単にその領域に土砂を投入して築造するとか、周囲をコンクリートで囲ってその内部に土砂を投入して築造するとか、或はコンクリートで全てを固めて築造するとか等が行なわれている。
離れ島の場合等も概ね同様である。
【０００３】
いずれにしても大掛かりな工事となり、しかも得られたそれぞれの築造物では、波による沿岸の浸食防止等の効果は得られるであろうが、どちらかと云えば、湖沼中の魚類等の生活の場を奪い、これらの生活環境を害している場合が殆どである。即ち、自然環境を一面で破壊する虞のあるものでもあった。
【０００４】
【発明が解決しようとする課題】
本発明に於いては、湖沼に築造物を設置することにより、そのものの性質により若干異なるが、消波作用により、沿岸の保護を図るとともに、湖沼に於ける魚類の生活環境を破壊することなく、却ってその産卵場所や避難場所等を提供すること等により、環境の保全乃至改良を図り得る湖沼に於ける離岸築造物の構造を提供することを解決の課題とするものである。
【０００５】
【課題を解決するための手段】
本発明の構成の要旨とするところは、
湖沼の底部から、水より比重の大きな小塊材を充填した籠状の単位骨格部材を縦横及び高さ方向に結合して構成した骨格構造を立ち上げ、かつ該湖沼の水面から露出する該骨格構造の上部に地上設備を配した湖沼に於ける離岸築造物の構造であり、これによって前記課題を解決することができる。
【０００６】
前記離岸築造物としては、消波用の離岸堤又は離れ島等であり、いずれもその地上設備として、遊歩道、緑化部、或はこれらを含む公園等を備え又は備えないもののいずれでもあり得るものである。
また前記籠状の単位骨格部材は、籠状であることの他、縦横に相互を結合できるように、接続手段が構成されていることが好ましい。具体的には必要な部位にボルト・ナット等で接続するためのボルト孔等が開口されていること等である。
材質も自由であるが、プラスチックで成形するのが製造が容易である利点がある。
【０００８】
前記地上設備として植物を配した緑化部を構成し、または遊歩道を構成することができる。或はこれらを含む公園に構成することができるのも云うまでもない。
そして以上の緑化部は、例えば、次のように構成することができる。
例えば、骨格構造に於ける最上部の少なくとも対応する領域、即ち、緑化部として定めた領域の籠状の単位骨格部材の開口部を上向きに配するとともにそれらの籠状の単位骨格部材中に前記小塊材に代えて植生基材を充填し、かつ該植生基材中に植物を植生することで構成することができる。これらの植物は特に限定されないが、植生基材が少ない場合等は水生植物が適当である。
【０００９】
なお以上に於いて、前記小塊材としては、前記のように、水より比重の大きな小塊であって、水に溶けず、かつ害のないものであれば、自由に採用可能であるが、例えば、砂利を用いるのが安価でかつ簡易である。
また前記小塊材に加えて、または一部のそれらに代えて炭又は麦飯石を単位骨格部材中に充填することとするのが湖沼水の浄化その他の品質改善のために好都合である。
【００１４】
したがって、前記のような骨格構造を持った離岸堤を構成した場合は、これによって湖沼の沿岸が波の被害から保護されるのは一般のそれと同様であり、更に、その築造に籠状の単位骨格部材を用いているので、骨格構造に隙間が多く、波浪は強固なコンクリート堤等に衝突する場合のような衝撃がなく、該離岸堤の前面は波が穏やかになり易くもなる。
またこの骨格構造を持った離岸堤の場合は、以上のように、その築造に籠状の単位骨格部材を用いているので、形状寸法ともに構成が自由であって、容易に築造できるものである。
【００１５】
更に籠状の単位骨格部材中には、この場合は、水より比重の大きな小塊材が充填されているに過ぎないので、骨格構造には適当な隙間があり、魚が必要があればこの中に逃げ込むことができる等の避難場所としての役割も果たすことができる。また魚の産卵場所としても役割も果たすことができる。地上設備として緑化部を構成し、水生植物を植えた場合には、その根が深く下がって来れば、その内部がちょうど良い産卵場所になり得るものでもある。
更に骨格構造の内部は水の流通できる場であるから、籠状の単位骨格部材の一部又は全部の中に、炭又は麦飯石を追加的に充填し又は一部の小塊材に代えてこれらを充填することとした場合には、湖沼水の浄化又は改質に役に立つものである。
【００１６】
またこれらの骨格構造の上部には公園等の地上設備も容易に築造し得るものである。
【００２０】
【発明の実施の形態】
以下、本発明の実施の形態を添付図面に基づいて詳細に説明する。
図１〜図４は本発明の一つの実施の形態を示している。
図１は、本発明を適用した離岸堤の一実施形態を示す概略断面説明図、図２は離岸堤及び湖沼の対岸部を示す部分概略平面図、図３は籠状の単位骨格部材の一部切欠正面図、図４は下向き状態の単位骨格部材の結合状態を示す平面説明図である。
【００２１】
この実施の形態で用いる単位骨格部材１は、図３に示すように、容器部２と、その上縁から底面と平行に外方に向かって延びる上下結合用板部３と、該上下結合用板部３から垂下する左右結合用板部４とで構成したものである。
上記上下結合用板部３、左右結合用板部４及び容器部２の底板にはそれぞれ結合用のボルト孔５、５…が開口してある。
また容器部２、上下結合用板部３及び左右結合用板部４には、それぞれ大小の通孔６、６…が穿設してある。
【００２２】
この単位骨格部材１を用いて湖沼７に、図２に示すような離岸堤８を築造する。
図１に示すように、離岸堤８は、その骨格構造９を、上記単位骨格部材１、１…を縦横に結合して構成する。上下隣接する単位骨格部材１、１相互は開口部相互を対面させ又は底板相互を当接させて、各々対面する部位のボルト孔５、５…を利用してボルト・ナットで結合する。左右に隣接する単位骨格部材１、１相互は、図１及び図４に示すように、左右結合用板部４、４を相互に当接させ、対面接合する部位のボルト孔５、５…を利用してボルト・ナットで結合する。
【００２３】
なおこのように骨格構造９を構成する際に、最上部の単位骨格部材１、１…は、開口部が上向きになるようにする。またこのように骨格構造９を構成する際に、最上部の単位骨格部材１、１…を除いて、その内部に砂利１０を充填する。このとき併せて麦飯石も砂利１０中に混合する。
最上部の単位骨格部材１、１…については、長さ方向左右縁に沿っての各二列のそれらには、土壌１１等を若干充填し、これに水性植物１２を植え付け、緑化部１３を構成する。中央の二列の単位骨格部材１、１…には砂利及び土砂等を充填し、若干盛り上げ、遊歩道１４を構成する。
なお１５は湖沼７の水面であり、１６は底面である。
【００２４】
この実施の形態では、離岸堤８を以上のように構成したので、先ず一般のそれと同様に、これによって湖沼７の沿岸が波の被害から保護される。更に、この離岸堤８は籠状の単位骨格部材１、１…を結合してその骨格構造９を築造し、かつ各単位骨格部材１、１…中には砂利１０及び麦飯石を充填したものであるので、骨格構造９に隙間が多く、波浪は強固なコンクリート堤等に衝突する場合のような衝撃が生じない。それ故、該離岸堤８の前面は波が穏やかになる。
またこの離岸堤８の場合は、以上のように、その築造に籠状の単位骨格部材１、１…を用いているので、形状寸法ともに構成が自由であって、容易に築造できるものである。
【００２５】
更に、前記したように、籠状の単位骨格部材１、１…中には、最上部のそれらを除いて、この場合は、水より比重の大きな小塊材である砂利１０及び若干の麦飯石が充填されているに過ぎないので、骨格構造９には適当な隙間があり、魚が必要があればこの中に逃げ込むことができる等の避難場所としての役割も果たすことができる。また魚の産卵場所としても役割も果たすことができる。またこの場合は地上設備として緑化部１３を構成し、水生植物を植えたので、いずれその根が深く下がって、その内部がちょうど良い産卵場所になり得るものでもある。更に骨格構造９の内部は、前記したように、水の流通できる場であり、単位骨格部材１、１…に、前記のように、麦飯石を追加的に充填したので、湖沼水の浄化又は改質に役に立つものでもある。
【００３１】
【発明の効果】
したがって本発明によれば、湖沼に離岸堤や離れ島等の骨格構造を容易に構成し得て、その岸の波浪による損壊等を安価に防止し得るものである。またこれらの骨格構造が籠状の単位骨格部材で構成されるものであり、その内部に水より比重の大きな小塊材を充填して、全体を構築するものであるため、骨格構造内部に隙間が多く、この隙間が魚の避難場所及び産卵場所になり得る利点もある。上部に地上施設として緑化部を構成し、ここに水生植物を植えた場合にはその根が延びて垂下すれば更にこの根の中が魚の産卵場所として一層適切となる。
【００３２】
骨格構造を構成する籠状の単位骨格部材中に炭や麦飯石又はその他のその種の部材を混入させれば、湖沼水の浄化や改質に役に立つものでもある。
【図面の簡単な説明】
【図１】  本発明を適用した離岸堤の一実施形態を示す概略断面説明図。
【図２】  離岸堤及び湖沼の対岸部を示す部分概略平面図。
【図３】  籠状の単位骨格部材の一部切欠正面図。
【図４】  通孔を省略した下向き状態の単位骨格部材の結合状態を示す平面説明図。
【符号の説明】
１    籠状の単位骨格部材
２    容器部
３    上下結合用板部
４    左右結合用板部
５    ボルト孔
６    通孔
７    湖沼
８    離岸堤
９    骨格構造
１０  砂利
１１  土壌
１２  水性植物
１３  緑化部
１４  遊歩道
１５  水面
１６  底面
【図１】
0003730295.tif 000002
【図２】
0003730295.tif 000003
【図３】
0003730295.tif 000004
【図４】
0003730295.tif 000005